(57)【要約】【課題】フィルタ表面上に付着したゴミを簡単かつ自動的に除去するとともに、除去したゴミを室外に送り出すことができる空気調和機を提供する。【解決手段】室内機筐体１００側にフィルタ６に付着したゴミを除去するゴミ取り箱７を設け、室外機筐体３００側に集塵手段４００としてのゴミ回収箱４１０と真空吸引ファン４２０とを設け、ゴミ回収箱７で除去されたゴミをゴミ搬送管５２０を通して室外機筐体３００側で回収する。【選択図】  図１
2004301363.tif 000002
【特許請求の範囲】
【請求項１】
室内側に配置される室内機筐体と、室外側に配置される室外機筐体とを含み、上記室内機筐体内の空気吸込部と熱交換器との間に空気中のゴミを捕らえるフィルタが配置されている空気調和機において、
上記室内機筐体側には、上記フィルタに付着したゴミを除去する除塵手段が設けられており、上記室外機筐体側には、上記除塵手段によって除去されたゴミを吸引して回収する集塵手段が設けられており、上記除塵手段と上記集塵手段との間には、上記除塵手段で除去されたゴミを上記集塵手段へと搬送するゴミ搬送路が設けられていることを特徴とする空気調和機。
【請求項２】
上記除塵手段として、上記フィルタのフィルタ面に沿って配置されるゴミ取り箱と、上記フィルタを所定方向に往復的に移動させるフィルタ移動手段とを備えている請求項１に記載の空気調和機。
【請求項３】
上記ゴミ取り箱の内部には、上記フィルタに付着したゴミを掻き取るブラシが設けられている請求項２に記載の空気調和機。
【請求項４】
上記フィルタは、上記熱交換器に対向して複数枚に分割して配置され、上記ゴミ取り箱は、上記各フィルタ毎に配置されている請求項２または３に記載の空気調和機。
【請求項５】
上記ゴミ搬送路の一端側は、上記各ゴミ取り箱に接続されるように複数に分岐されており、上記ゴミ搬送路の分岐点には、ゴミ搬送経路を選択的に切り替える切替部が設けられている請求項４に記載の空気調和機。
【請求項６】
上記集塵手段として、上記ゴミ搬送路の他端側に連結される真空吸引ファンと、上記ゴミ搬送路と上記真空吸引ファンとの間に設けられるゴミ回収箱とを備えている請求項１ないし５のいずれか１項に記載の空気調和機。
【請求項７】
上記ゴミ回収箱は、サイクロン方式のゴミ・空気分離部からなる請求項６に記載の空気調和機。
【請求項８】
上記ゴミ回収箱は、紙パック方式のゴミ回収部からなる請求項６に記載の空気調和機。
【請求項９】
少なくとも上記除塵手段、上記集塵手段よび上記ゴミ搬送路を制御する制御部を備え、上記制御部は、上記切替部を介して上記ゴミ搬送路がいずれか一方の上記ゴミ取り箱に接続されていると判断した場合、上記いずれか一方のゴミ取り箱のゴミを吸引中に、いずれか他方の上記ゴミ取り箱に設けられた上記フィルタを駆動して、そこに付着したゴミを除去する請求項１ないし８のいずれか１項に記載の空気調和機。
【発明の詳細な説明】
【０００１】
【発明の属する技術分野】
本発明は、フィルタに付着したゴミを自動的に除去する機能を備えた空気調和機に関し、さらに詳しく言えば、回収したゴミを屋外に排出することができる空気調和機に関する。
【０００２】
【従来の技術】
空気調和機（室内ユニット）の空気吸込口には、空気中の特に粗ゴミを除去するフィルタが設けられている。フィルタには空調の運転時間に比例してゴミが堆積し、その量が多くなると熱交換効率が低下するため、適宜フィルタを清掃する必要がある。
【０００３】
一般的には、特許文献１のように着脱式のエアフィルタを備え、顧客の手によってフィルタを室内機筐体から取り外して例えば手洗いなどによりゴミを除去した後、再びフィルタを手動で室内機筐体に装着するようにしている。
【０００４】
しかしながら、通常の空気調和機は、部屋の高所に設置されているため、高齢者や女性にとってはフィルタの着脱が困難であるため、清掃作業が敬遠されやすいという問題があった。
【０００５】
そこで、例えば特許文献２や特許文献３に示すようなフィルタを自動的に清掃する清掃装置付き空気調和機が提案されている。
【０００６】
しかしながら、特許文献２では、平板状のフィルタに沿ってブラシを水平方向に移動させながら、フィルタ上に付着したゴミを擦り落とす方法を採用しているため、適用が平板状のフィルタに限られる。
【０００７】
特に、最近の空気調和機においては、筐体の小型化に伴い、フィルタ面を湾曲したり、折り曲げたりして筐体内に収納されることが一部の機種において行われており、このようなフィルタになると特許文献２では対応できない。
【０００８】
また、特許文献３は、回転ローラによって空気調和機の外部にフィルタを引き出し、室外機上部に予め設置された吸引筒と吸込パイプによりフィルタ上に付着しゴミを吸引した後、再びフィルタを空気調和機の所定場所に戻すというものであるが、この方法では、吸引筒と吸込パイプを筐体の外に別途設けなければならず、構造が複雑になるばかりでなく、室内機としての意匠の見映えもよくない。
【０００９】
さらに、別の方法として、例えば特許文献４には、巻き取り式の円筒状ローラ間にフィルタを張設し、フィルタ上に付着したゴミをフィルタの巻き上げ動作とともに除去する方法が提案されている。
【００１０】
しかしながら、この特許文献４によると、ゴミが付着したフィルタを巻き上げてフィルタ収納部内に収納するため、フィルタは使い捨てとなる。したがって、フィルタをあらかじめ大量に用意しておく必要があり、結局コスト高となって顧客に負担をかけることになる。また、フィルタ収納部（繰り出し側と巻き取り側）を筐体の両側に設けなくてはならず、室内機全体の寸法が大きくなり、小型化に反することにもなる。
【００１１】
【特許文献１】
特開平１１−１５９８５４号公報
【特許文献２】
実開平４−３３９１６号公報
【特許文献３】
実開平４−５０３２０号公報
【特許文献４】
特開平３−１２２４２２号公報
【００１２】
【発明が解決しようとする課題】
そこで、本発明は、上述した問題点を解決するため、フィルタ表面上に付着したゴミを簡単かつ自動的に除去するとともに、除去したゴミを室外に排出することができる空気調和機を提供することにある。
【００１３】
【課題を解決するための手段】
上述した目的を達成するため、本発明は、室内側に配置される室内機筐体と、室外側に配置される室外機筐体とを含み、上記室内機筐体内の空気吸込部と熱交換器との間に空気中のゴミを捕らえるフィルタが配置されている空気調和機において、上記室内機筐体側には、上記フィルタに付着したゴミを除去する除塵手段が設けられており、上記室外機筐体側には、上記除塵手段によって除去されたゴミを吸引して  回収する集塵手段が設けられており、上記除塵手段と上記集塵手段との間には、上記除塵手段で除去されたゴミを上記集塵手段へと搬送するゴミ搬送路が設けられていることを特徴としている。
【００１４】
これによれば、室内機筐体のフィルタによって捕捉されたゴミを除塵手段によって除去するとともに、除去されたゴミは、ゴミ搬送路を通って室外機側に設けられた集塵手段に吸引によって回収されるため、フィルタ清掃を自動的に行うことができるだけでなく、ゴミを室外機側で回収するため室内機の衛生性もよい。
【００１５】
上記除塵手段のより好ましい態様としては、上記フィルタのフィルタ面に沿って配置されるゴミ取り箱と、上記フィルタを所定方向に往復的に移動させるフィルタ移動手段とを備えている。これによれば、フィルタを移動させることで、フィルタの全面を清掃することができる。
【００１６】
フィルタ上に付着したゴミを確実に除去するため、上記ゴミ取り箱の内部には、上記フィルタに付着したゴミを掻き取るブラシが設けられている。
【００１７】
一般的な空気調和機は、熱交換器の前面に２枚のフィルタが個別に配置されている場合が多い。そこで、フィルタが熱交換器に対向して複数枚に分割して配置されている場合、上記ゴミ取り箱は、上記各フィルタ毎に配置されていることが好ましい。
【００１８】
上記各ゴミ回収箱が複数に分割されている場合、上記ゴミ搬送路の一端側は、上記各ゴミ取りに接続されるように複数に分岐されており、上記ゴミ搬送路の分岐点には、ゴミの搬送経路を選択的に切り替える切替部が設けられている。これによれば、集塵手段からの吸引力が個々のゴミ取り部で弱められることなく、一定の風圧で通り抜けるため、回収されたゴミを確実にゴミ搬送路を通じて集塵手段に廃棄できる。
【００１９】
上記集塵手段の好ましい態様としては、上記ゴミ搬送路の他端側に連結される真空吸引ファンと、上記ゴミ搬送路と上記真空吸引ファンとの間に設けられるゴミ回収箱とを備えている。これによれば、ゴミ搬送路を搬送されてきたゴミをゴミ回収箱で回収でき、廃棄も簡単に行える。
【００２０】
上記ゴミ回収箱のより好ましい態様しては、サイクロン方式のゴミ・空気分離部、もしくは、紙パック方式のゴミ回収部からなることが好ましい。これによれば、サイクロン方式の場合は、紙パックなどの消耗品を用意する必要がなくて済むし、紙パック方式の場合は、回収したゴミの保管性と廃棄性がよい。
【００２１】
少なくとも上記除塵手段、上記集塵手段よび上記ゴミ搬送路を制御する制御部を備え、上記制御部は、上記切替部を介して上記ゴミ搬送路がいずれか一方の上記ゴミ取り箱に接続されていると判断した場合、上記いずれか一方のゴミ取り箱を吸しているときに、いずれか他方の上記ゴミ取り箱に設けられた上記フィルタを駆動して、そこに付着したゴミを除去するようにすることが好ましい。
【００２２】
これによれば、フィルタを清掃しているゴミ取り箱には、集塵手段（真空吸引ファン）の駆動によってフィルタとゴミ取り箱との間に発生する密着力が加わらないため、フィルタを移動させるための駆動モータのトルクを小さく設計でき、小型化および低コスト化することができる。
【００２３】
【発明の実施の形態】
次に、本発明の実施形態について図面を参照しながら説明する。図１は、本発明の一実施形態に係る空気調和機の構成を概略的示した斜視図であり、図２は、室内機筐体の内部構造を示す要部断面図である。
【００２４】
この空気調和機は、室内ＩＤ側の壁面に取り付けられる室内機筐体１００と、室外ＯＤ側に設置される室外機筐体３００とを備え、それらが専用の配管ダクト５００を介して互いに連結されている。
【００２５】
配管ダクト５００内には、冷媒輸送管や電源ケーブルなどの各種配管類５１０（図２参照）とともに、室内機筐体１００で除去されたゴミを真空吸引によって室外機筐体３００に搬送するゴミ搬送路としてのゴミ搬送管５２０が設けられている。
【００２６】
図１および図２を参照して、室内機筐体１００は、熱交換器３および送風機４を支持して室内の壁面に固定されるベース１１０と、少なくとも熱交換器３を覆うようにベース１１０に取り付けられるパネル１３０とを備えている。ベース１１０およびパネル１３０は、ともに合成樹脂の成型品からなる。なお、図１においては、説明の都合上、パネル１３０は、取り外されている。
【００２７】
ベース１１０は、壁面に沿ってほぼ平行な設置面１１１を有し、設置面１１１の両側には、前方に向けて張り出すように形成された左右一対の側板１２１，１２２が設けられている。その側板１２１，１２２に熱交換器３および送風機４が掛け渡されている。
【００２８】
ベース１１０の内面側、すなわち反壁面側には、ベース１１０側に配置された背面側熱交換器３２の結露水を受け止めるドレン溝１１２と、送風機４から空気吹出口１６０に向けて空気を吹き出す空気通路１５０の一部を構成する送風ガイド面１１３とが一体的に設けられている。
【００２９】
なお、ベース１１０の背面のドレン溝１１２と送風ガイド面１１３との間に位置する場所には、補強用のリブ１１４が所定間隔を持って複数立設されており、ベース１１０の底面には、ドレンパイプや電源コードなどの各種配管類５１０が収納されている。
【００３０】
パネル１３０は、ベース１１０の上端部から前方（反壁面方向）に向かって張り出され、先端が少なくとも熱交換器３を覆うように下方に延在された逆Ｌ字状を呈し、その前面および上面には、室内機筐体１００内に空気を取り込むための空気吸込部１３１が設けられている。
【００３１】
図２に示すように、パネル１３０の前面の下端側には、フィルタ６の先端６ａを室内機筐体１００の外へと排出するための開口部１３２と、同開口部１３２の開口を開閉する開閉扉１３３とが設けられている。開口部１３２は、フィルタ６の先端６ａに沿って横長に開口されたスリット孔からなり、少なくともフィルタ６が出入り可能な大きさに開口されている。
【００３２】
開閉扉１３３は、上端側が開閉可能に軸支され、下端側がフィルタ６の移動時応じて開閉される。なお、この実施形態において、開閉扉１３３は、図示しないバネ手段を介して常に閉じる方向（図２において、反時計方向）にバネ付勢されている。
【００３３】
パネル１３０の下端側と空気吹出部１６０との間には、前面側熱交換器３１によって生成されたドレン水を受け止めるドレンパン１４０が設けられている。ドレンパン１４０は、ベース１１０の側板１２１，１２２間に掛け渡され、前面側熱交換器３１の幅に沿って延在する樋状に形成されている。
【００３４】
空気吹出部１６０は、室内機筐体１００の下部に設けられており、その内部には、上下の吹出方向を変える上下風向板１６１と、左右の吹出方向を変える左右風向板１６２とが設けられている。上下風向板１６１は、ベース１１０の側板１２１，１２２間に掛け渡されており、左右風向板１６２はドレンパン１４０の底面側に回転可能に取り付けられている。
【００３５】
次に、室内機筐体１００の内部の構成について説明する。筐体２内には、熱交換器３、送風機４、除塵手段５およびフィルタ６がそれぞれ所定位置に配置されている。
【００３６】
図２に示すように、熱交換器３は、２つの熱交換器ユニット３１ａ、３１ｂを上下に連結した前面側熱交換器３１と、１つの熱交換器ユニットからなる背面側熱交換器３２とを頂部の連結板３３を介してほぼΛ（ラムダ）型に連結したものからなり、これら前面側熱交換器３１と背面側熱交換器３２とは、ベース１１０の側板１２１，１２２に支持されている。
【００３７】
送風機４は、空気通路１５０の上流側に配置されたクロスフローファンからなり、熱交換器３と同じくベース１１０の側板１２１，１２２に支持されている。この送風機４を駆動することにより、パネル１３０の前面および上面の空気吸込部１３１から空気が吸い込まれ、フィルタ６を通って除塵された後、熱交換器
３で所定温度に調音されて空気吹出部１６０から室内ＩＤに向けて吹き出される。
【００３８】
前面側熱交換器３１の熱交換器ユニット３１ｂの前面側には、除塵手段５としてのゴミ取り箱７およびフィルタ送り部８が配置されている。図２に示すように、ゴミ取り箱７は、両端がフィルタ６の前面に向けてほぼ直角に折り曲げられた断面コ字状のカバー７１を有し、その内部には、フィルタ６に付着したゴミを掻き取るブラシ７２が設けられている。
【００３９】
この例において、カバー７１は、合成樹脂の成型品からなり、少なくともフィルタ６の幅よりも長尺に形成されている。なお、カバー７１の衛生性をよくするため、抗菌剤や防かび剤などをベース樹脂に添加して成型してもよい。
【００４０】
ブラシ７２は、棒状のブラシ台に対して樹脂製のブラシ糸が螺旋状に植設されたロールブラシからなり、カバー３の両端に回転可能に支持されている。ブラシ７２は、制御手段によって駆動されるモータ（ともに図示しない）に連結されており、フィルタ送り部８を協働して所定方向に回転駆動される。
【００４１】
ブラシ７２の回転方向について特に制限はないが、好ましくは、フィルタ６の送り方向に対して反対方向に回転することが好ましい。
【００４２】
すなわち、フィルタ６が室内機筐体１００から排出される方向（図２では下方向）に移動する場合は、ブラシ７２は反時計回りに回転制御されることが好ましく、フィルタ６が室内機筐体１００内に戻される方向（図２では上方向）に移動する場合は、ブラシ７２は時計回りに回転制御されることが好ましい。これによれば、ブラシ７２によるゴミの掻き出し効果がさらに向上する。
【００４３】
この例において、ブラシ７２は、ロールブラシが用いられているが、例えばカバー７１内を往復的に移動するブラシであってもよく、フィルタ６に付着したゴミを除去可能なものであれば任意に用いられる。また、ブラシ７２に抗菌剤や防かび剤などを添加したり、塗布したりしてもよい。
【００４４】
また、フィルタ６から除去されたゴミがフィルタ６の裏側に落ち込まないようにするため、フィルタ６を挟んでカバー７１に対向する方向に別のカバーを設けてフィルタ６を挟み込むようにしてもよい。
【００４５】
図１に示すように、この例においてフィルタ６は、熱交換器３に沿って２枚のフィルタ６，６が横一列に並んで設けられており、ゴミ取り箱７は、フィルタ６毎に一列に並んだ状態で２箇所併設されている。
【００４６】
図３に示すように、各ゴミ取り箱７には、ゴミ搬送管５２０の一端が引き込まれており、これにより、真空吸引によって除去されたゴミがゴミ搬送管５２０から室外機筐体３００へと搬送される。
【００４７】
ゴミ搬送管５２０は、室内機筐体１００内において各ゴミ取り箱７の数に応じて複数に分岐されており、この例では、図３に示すように、２つの分岐ゴミ搬送管５２１，５２２が設けられている。分岐ゴミ搬送管５２１，５２２の分岐点５２３には、吸引エアーの流れ方向を切り替える切替部５３０が設けられている。
【００４８】
切替部５３０は、図示しない制御部によって駆動され、ゴミ搬送管５２０内を流れる吸引エアーの流れをいずれか一方の分岐ゴミ搬送管５２１，５２２に振り分ける。これにより、複数のゴミ取り箱７を有する場合であっても、吸引エアーを各ゴミ取り箱７に振り分けることが可能となり、吸引力の低下を抑えることができる。
【００４９】
フィルタ移動手段８は、フィルタ６を上下にスライドさせるための駆動モータ８１と、同駆動モータ８１の出力軸に接続され、フィルタ６の図示しないラック溝に噛合されるギア８２とを備え、図示しない制御手段の指令によって駆動される。
【００５０】
ギア８２のフィルタ６を挟んだ対向面側には、ギア８２とラック溝との噛合を補助する送りローラ８３が設けられている。また、ゴミ回収箱７に対向するフィルタ６の裏面側には、フィルタ６がブラシ７２に常に接触するように保持する送りローラ８４が上下一対に設けられている。
【００５１】
フィルタ６は、格子状のフレーム内に網状のフィルタ面が一体成型された合成樹脂製の湾曲可能なものからなり、熱交換器３の前面から頂部を経て上面を覆うように、この実施形態では２枚設けられている。
【００５２】
フィルタ６，６は、例えばポリプロピレンなどのベース樹脂からなるが、このベース樹脂に例えば導電性樹脂などの帯電防止剤をさらに添加してもよく、さらには、防かび剤や抗菌剤などを添加してもよい。なお、この実施形態では、フィルタ６は樹脂の成型品からなるが、この限りではない。
【００５３】
次に、図１および図４を参照して、室外機筐体３００の構成について説明する。室外機筐体３００は、底部にベランダなどの被設置面に設置される脚部３１１，３１２を有するとともに、空気吸込グリル３１３を有するハウジング３１０を備えている。
【００５４】
室外機筐体３００の内部には、コンプレッサや熱交換器などの冷凍サイクル部（図示しない）や熱交換器を冷却する送風ファン３２０などが配置されているとともに、室内機筐体１００内で除塵されたゴミを回収する集塵手段４００が設けられている。
【００５５】
集塵手段４００は、ゴミ搬送路５２０の他端側に連結されるゴミ回収箱４１０と、連結パイプ４３０を介してゴミ回収箱４１０に接続される真空吸引ファン４２０とを備えている。
【００５６】
この例において、ゴミ回収箱４１０は、いわゆるサイクロン方式のゴミ・空気分離部からなり、円錐形状のハウジングの側面にゴミ搬送管５２０が接続され、頂部に連結パイプ４３０の一端が接続されている。
【００５７】
真空吸引ファン４２０は、内部に図示しない例えばシロッコファンが内蔵され、ハウジング３１０内部に向けて空気吹出部４２１が開放されている。真空吸引ファン４２０は、図示しない制御部によって制御されている。
【００５８】
これによれば、真空吸引ファン４２０を駆動させると、ゴミ回収箱４１０内には、渦流が発生し、ゴミ回収箱４１０の側面から内部にゴミが導入されると、ゴミは、渦流によって遠心分離され、ゴミ回収箱４１０内に留められ、空気のみが中央頂部の連結パイプ４３０を通って真空吸引ファン４２０に導かれ、最後に空気吹出部４２１から排気される。
【００５９】
この例において、ゴミ回収箱４１０はサイクロン方式のゴミ・空気分離部から構成されているが、これ以外に、図５（ａ）に示すように、単なる密閉容器からなるゴミ回収箱４１０ａの内部にゴミと空気とを振り分けるフィルタ４１１を設けたものであってもよい。これによれば、より安価に製造することができる。
【００６０】
また、図５（ｂ）に示すように、一部が開閉可能な密閉容器からなるゴミ回収箱４１０ｂの内部に、市販の真空掃除機などに用いられる紙パック４１２を装着して、ゴミを紙パック４１２内に回収するようにしてもよい。これによれば、回収されたゴミの保管性および廃棄性がよい。
【００６１】
次に、この空気調和機の清掃手順の一例について説明する。清掃開始前の初期状態において、フィルタ６は、図２に示すように熱交換器３の前面および上面に沿って配置されている。まず、図示しない遠隔操作用のリモコンなどに設けられたフィルタ清掃ボタンを操作すると、制御部（図示しない）は、清掃モードに切り替わり、まず、送風機４を含む空気調和モードに関わるすべての制御対象を一旦停止させる。
【００６２】
送風機４の停止を確認した後、制御部は、まず、ゴミ搬送管５２０の分岐部５３０に設けられた切替部５３０を介して、ゴミ搬送管５２０がどちらのゴミ取り箱７に向けて選択（接続）されているかを確認する。以降においては、図３に示すように、左側のゴミ取り箱７にゴミ搬送管５２０が接続されていると判断した場合について説明を行う。
【００６３】
真空吸引ファン４２０が駆動された場合、切替部５３０によって選択されたゴミ取り箱７（図１では左側）には、フィルタ６とゴミ取り箱７との間に密着力が発生する。この密着力を発生させた状態のままフィルタを移動させるためには、トルクの太い駆動モータを用いなければならない。
【００６４】
そこで、制御部は、ゴミ搬送管５２０の接続を確認した後、ゴミ搬送管５２０が接続されたゴミ取り箱７（図１では左側）とは反対側のゴミ取り箱７（図１では右側）のフィルタ移動部８に指令を出し、右側のゴミ取り箱７のフィルタ清掃を行う。
【００６５】
制御部からの指令に伴い、右側のゴミ取り箱７の駆動モータ８１がギア８２を時計方向に回転させて初期状態にあるフィルタ６を下方に向けて送り出す。フィルタ送り部８によって送り出されたフィルタ６は、一旦ゴミ取り箱７を通過しながら開口部１３２から室内機筐体１００外へと排出される。
【００６６】
このフィルタ送り作業と同時に、制御部は、ゴミ取り箱７内のブラシ７２にも指令を出す。制御部の指令に伴い、ブラシ７２は、フィルタ６の送り方向とは反対の方向に回転し、フィルタ６上に付着したゴミをまんべんなく掻き出してゆく。ブラシ７２によって掻き出されたゴミは、一旦ゴミ取り箱７内に保管される。
【００６７】
フィルタ６の全面がゴミ取り箱７を通過すると、制御部はフィルタ送り部８に指令を出し、ギア８２を反時計方向に回転させて、フィルタ６を再び初期状態まで引き戻した後、フィルタ送り部８を停止させる。
【００６８】
なお、フィルタ６の引き戻し作業を行う際、制御部は、ゴミ取り箱７内のブラシ７２に反転の指令を出し、ブラシ７２は、フィルタ６の引き戻し方向に対して時計回りに回転し、フィルタ６上に残ったゴミを再度掻き出す。
【００６９】
右側のゴミ取り箱７のフィルタ清掃完了後、制御部は、次に切替部５３０に指令を出し、これに伴い、切替部５３０はフィルタ清掃が終了した右側のゴミ取り箱７に接続される分岐ゴミ搬送管５２１にゴミ搬送パイプ５２０を接続する。
【００７０】
これにより、右側のゴミ取り箱７内には、ゴミ搬送パイプ５２０が接続され、一時的保管されたゴミが真空吸引ファン４２０の駆動によって生成された吸引エアーに乗って分岐ゴミ搬送管５２１からゴミ搬送管５２０を経て、屋外へと排出されるとともに、室外機筐体３００内のゴミ回収箱４１０にて回収される。
【００７１】
切替部５３０の切替を確信後、制御部は、他方のゴミ取り箱７（図１では左側）に指令を出し、上述した一連のフィルタ清掃動作を左側のゴミ取り箱７で繰り返す。
【００７２】
左側のゴミ取り箱７のフィルタ清掃が完了した後、制御部は再度切替部５３０に指令を出し、左側のゴミ取り箱７に接続される分岐ゴミ搬送管５２２にゴミ搬送パイプ５２０を接続する。
【００７３】
これに伴い、左側のゴミ取り箱７に回収されたゴミが室外機筐体３００内のゴミ回収箱４１０に送り出される。以上により、すべてのフィルタ６の清掃が完了する。なお、フィルタの清掃状態を環視する監視部を別途設けて、フィルタがきれいになるまで清掃動作を往復的に連続して行ってもよい。
【００７４】
また、制御部にさらに送風機４の運転時間を積算する積算手段（図示しない）を設けてもよい。すなわち、制御手段は積算手段を介して所定の積算時間をカウントし、積算時間が所定の設定時間に達した際、自動的に清掃モードへの移行を行い、フィルタ清掃を実行することで、上述したフィルタ清掃を完全自動化することができる。このような態様も本発明に含まれる。
【００７５】
また、この実施形態において、図示しないリモコンには、換気ボタンが設けられていることがより好ましい。すなわち、換気ボタンを操作すると、制御手段は、送風機４が運転中であろうとなかろうと、強制的に室外機筐体３００の真空吸引ファン４２０を駆動させて、室内機筐体内２の空気を屋外へと排出するようにしている。これによれば、屋内の汚れた空気を屋外に排出することができる。このような態様も本発明に含まれる。
【００７６】
【発明の効果】
以上説明したように、本発明によれば、室内機筐体側にフィルタに付着したゴミを除去する除塵手段を設け、室外機筐体側に除塵手段によって除去されたゴミを回収する集塵手段を設けて、除塵手段と集塵手段とをゴミ搬送路で連結したことにより、室内機筐体のフィルタによって捕捉されたゴミを除塵手段によって除去でき、除去したゴミは、ゴミ搬送路を通って室外機側に設けられた集塵手段によって回収されるため、フィルタ清掃を自動的に行うことができるだけでなく、ゴミを室外機側で回収するため室内機の衛生性もよい。
【図面の簡単な説明】
【図１】本発明の一実施形態に係る空気調和機の構成を概略的示した斜視図。
【図２】室内機筐体の内部構造を概略的に示す要部断面図。
【図３】ゴミ取り箱とゴミ搬送管との関係を説明する説明図。
【図４】室外機筐体の内部構造を概略的に示す要部断面斜視図。
【図５】ゴミ回収箱の変形例を説明する説明図。
【符号の説明】
１００  室内機筐体
１１０  ベース
１３０  パネル
３  熱交換器
４  送風機
５  除塵手段
６  フィルタ
７  ゴミ取り箱
８  フィルタ送り部
３００  室外機筐体
４００  集塵手段
４１０  ゴミ回収箱
４２０  真空吸引ファン
５００  配管ダクト
５２０  ゴミ搬送管
【図１】
2004301363.tif 000003
【図２】
2004301363.tif 000004
【図３】
2004301363.tif 000005
【図４】
2004301363.tif 000006
【図５】
2004301363.tif 000007